(57)【要約】【課題】複数の処理基板を使用した情報信号の処理システムで、情報信号の入力や出力のフォーマットに変化があるとき、情報信号の処理順序の設定を簡単に行い得るようにする。【解決手段】制御部２０４は、受信された送信データＤinから分離されたヘッダＤＨのうち、先頭のヘッダに含まれる基板ＩＤに基づいて、この送信データＤinが自己向けのものか判定する。信号処理部２０５は、送信データＤinが自己向けであるとき、先頭のヘッダに含まれる処理情報（コマンド、制御パラメータ）に基づいて、送信データＤinから分離された、あるいは直接入力された画像信号ＳＶの処理を行う。ヘッダ生成部２０６は、基本的には、ヘッダＤＨに含まれる処理情報に基づいて、処理後の画像信号ＳＶ′に合成すべきヘッダＤＨ′を生成する。画像データＳＶ′にヘッダＤＨ′を合成して送信データＤoutを得る。処理基板２００は、それぞれ自身で送信先を決定する。【選択図】        図４
2005184535.tif 000002
【特許請求の範囲】
【請求項１】
少なくとも送信先情報および処理情報を含むヘッダを有する送信データを受信するデータ受信手段と、
上記データ受信手段で受信された送信データが自己に向けられた送信データであるかを、上記ヘッダに含まれる送信先情報に基づいて判定する判定手段と、
上記判定手段で自己に向けられた送信データであると判定されるとき、上記ヘッダに含まれる処理情報に基づいて情報信号を処理する信号処理手段と、
上記ヘッダに含まれる情報に基づいて、上記信号処理手段で処理されて得られた情報信号の少なくとも送信先情報および処理情報を含むヘッダを生成するヘッダ生成手段と、
上記信号処理手段で処理されて得られた情報信号に上記ヘッダ生成手段で生成されたヘッダを合成して送信データを生成するヘッダ合成手段と、
上記ヘッダ合成手段で生成された送信データを送信するデータ送信手段と
を備えることを特徴とする情報信号処理装置。
【請求項２】
上記信号処理手段で処理される情報信号は、上記データ受信手段で受信される送信データから分離されて供給される
ことを特徴とする請求項１に記載の情報信号処理装置。
【請求項３】
上記信号処理手段で処理される情報信号は、上記データ受信手段で受信される送信データとは別個に供給される
ことを特徴とする請求項１に記載の情報信号処理装置。
【請求項４】
上記データ受信手段で受信される送信データのヘッダは第１のヘッダおよび第２のヘッダからなり、
上記判定手段は、上記第１のヘッダに含まれる送信先情報に基づいて、該送信データが自己に向けられた送信データであるか判定し、
上記第２のヘッダは少なくとも最終的な送信先の送信先情報および処理情報を含む
ことを特徴とする請求項１に記載の情報信号処理装置。
【請求項５】
上記信号処理手段で処理されて得られた情報信号の状態を示す情報を取得する情報取得手段をさらに備え、
上記ヘッダ生成手段は、上記ヘッダに含まれる情報および上記情報取得手段で取得された情報に基づいて、上記ヘッダに含める送信先情報が示す送信先を決定する
ことを特徴とする請求項１に記載の情報信号処理装置。
【請求項６】
他の情報信号処理装置から送信されてくる、該他の情報信号処理装置が使用可能な状態になったこと、あるいは使用不可能な状態になったことを示す状態信号を受信する信号受信手段をさらに備え、
上記ヘッダ生成手段は、上記ヘッダに含まれる情報および上記信号受信手段で受信された状態信号に基づいて、上記ヘッダに含める送信先情報が示す送信先を決定する
ことを特徴とする請求項１に記載の情報信号処理装置。
【請求項７】
自己の情報信号処理装置が使用可能状態になったときおよび使用不可能状態になったとき、その状態を示す状態信号を他の情報信号処理装置に送信する信号送信手段をさらに備える
ことを特徴とする請求項１に記載の情報信号処理装置。
【請求項８】
上記自己の情報信号処理装置が筐体の所定位置に取り付けられるとき該自己の情報信号処理装置は使用可能状態となり、上記自己の情報信号処理装置が上記筐体の所定位置から取り外されるとき該自己の情報信号処理装置は使用不可能状態となる
ことを特徴とする請求項７に記載の情報信号処理装置。
【請求項９】
少なくとも送信先情報および処理情報を含むヘッダを有する送信データを受信するデータ受信ステップと、
上記データ受信ステップで受信された送信データが自己に向けられた送信データであるかを、上記ヘッダに含まれる送信先情報に基づいて判定する判定ステップと、
上記判定ステップで自己に向けられた送信データであると判定されるとき、上記ヘッダに含まれる処理情報に基づいて情報信号を処理する信号処理ステップと、
上記ヘッダに含まれる情報に基づいて、上記信号処理ステップで処理されて得られた情報信号の少なくとも送信先情報および処理情報を含むヘッダを生成するヘッダ生成ステップと、
上記信号処理ステップで処理されて得られた情報信号に上記ヘッダ生成ステップで生成されたヘッダを合成して送信データを生成するヘッダ合成ステップと、
上記ヘッダ合成ステップで生成された送信データを送信するデータ送信ステップと
を備えることを特徴とする情報信号処理方法。
【請求項１０】
少なくとも送信先情報および処理情報を含むヘッダを有する送信データを受信するデータ受信ステップと、
上記データ受信ステップで受信された送信データが自己に向けられた送信データであるかを、上記ヘッダに含まれる送信先情報に基づいて判定する判定ステップと、
上記判定ステップで自己に向けられた送信データであると判定されるとき、上記ヘッダに含まれる処理情報に基づいて情報信号を処理する信号処理ステップと、
上記ヘッダに含まれる情報に基づいて、上記信号処理ステップで処理されて得られた情報信号の少なくとも送信先情報および処理情報を含むヘッダを生成するヘッダ生成ステップと、
上記信号処理ステップで処理されて得られた情報信号に上記ヘッダ生成ステップで生成されたヘッダを合成して送信データを生成するヘッダ合成ステップと、
上記ヘッダ合成ステップで生成された送信データを送信するデータ送信ステップと
を備える情報信号処理方法をコンピュータに実行させるためのプログラムを記録したコンピュータ読み取り可能な媒体。
【請求項１１】
少なくとも送信先情報および処理情報を含むヘッダを有する送信データを受信するデータ受信ステップと、
上記データ受信ステップで受信された送信データが自己に向けられた送信データであるかを、上記ヘッダに含まれる送信先情報に基づいて判定する判定ステップと、
上記判定ステップで自己に向けられた送信データであると判定されるとき、上記ヘッダに含まれる処理情報に基づいて情報信号を処理する信号処理ステップと、
上記ヘッダに含まれる情報に基づいて、上記信号処理ステップで処理されて得られた情報信号の少なくとも送信先情報および処理情報を含むヘッダを生成するヘッダ生成ステップと、
上記信号処理ステップで処理されて得られた情報信号に上記ヘッダ生成ステップで生成されたヘッダを合成して送信データを生成するヘッダ合成ステップと、
上記ヘッダ合成ステップで生成された送信データを送信するデータ送信ステップと
を備える情報信号処理方法をコンピュータに実行させるためのプログラム。
【請求項１２】
少なくとも送信先情報および処理情報を含むヘッダを有する送信データを受信するデータ受信手段と、
上記データ受信手段で受信された送信データが自己に向けられた送信データであるかを、上記ヘッダに含まれる送信先情報に基づいて判定する判定手段と、
上記判定手段で自己に向けられた送信データであると判定されるとき、上記ヘッダに含まれる処理情報に基づいて情報信号を処理する信号処理手段と、
上記ヘッダに含まれる情報に基づいて、上記信号処理手段で処理されて得られた情報信号の少なくとも送信先情報および処理情報を含むヘッダを生成するヘッダ生成手段と、
上記データ処理手段で処理されて得られた情報信号に上記ヘッダ生成手段で生成されたヘッダを合成して送信データを生成するヘッダ合成手段と、
上記ヘッダ合成手段で生成された送信データを送信するデータ送信手段と
を備えることを特徴とする情報信号の処理基板。
【請求項１３】
それぞれ入力された情報信号に所定の処理を施して出力する複数の情報信号処理装置を有する情報信号処理システムであって、
上記情報信号処理装置は、
少なくとも送信先情報および処理情報を含むヘッダを有する送信データを受信するデータ受信手段と、
上記データ受信手段で受信された送信データが自己に向けられた送信データであるかを、上記ヘッダに含まれる送信先情報に基づいて判定する判定手段と、
上記判定手段で自己に向けられた送信データであると判定されるとき、上記ヘッダに含まれる処理情報に基づいて情報信号を処理する信号処理手段と、
上記ヘッダに含まれる情報に基づいて、上記信号処理手段で処理されて得られた情報信号の少なくとも送信先情報および処理情報を含むヘッダを生成するヘッダ生成手段と、
上記信号処理手段で処理されて得られた情報信号に上記ヘッダ生成手段で生成されたヘッダを合成して送信データを生成するヘッダ合成手段と、
上記ヘッダ合成手段で生成された送信データを送信するデータ送信手段とを備える
ことを特徴とする情報信号処理システム。
【発明の詳細な説明】
【技術分野】
【０００１】
この発明は、例えば画像信号にフォーマット変換、ノイズ除去等の一連の処理を行って出力する画像信号処理システム等に適用して好適な、情報信号の処理装置および処理方法、情報信号の処理基板、情報信号処理システム、並びにプログラムおよびそれを記録した媒体に関する。
【０００２】
詳しくは、情報信号を送信データに含まれるヘッダの処理情報に基づいて処理すると共に、このヘッダの情報に基づいて処理後の情報信号の送信先情報および処理情報を含むヘッダを生成し、この生成されたヘッダを処理後の情報信号に合成して新たな送信データを生成し、この新たな送信データを送信する構成とすることによって、情報信号の処理順序の設定を簡単に行い得る情報信号処理装置等に係るものである。
【背景技術】
【０００３】
従来、画像信号にフォーマット変換、ノイズ除去等の一連の処理を行って出力する画像信号処理システムにおいて、この一連の処理を複数の処理基板で実現することが考えられる。この場合、画像信号の入力フォーマットや出力フォーマットの変化、処理基板の追加等があるときは、画像信号の処理順序が変化するため、基板の差し替え、あるいは基板間の配線を変更することが必要となる。
【０００４】
特許文献１では、基板間のデータ通信を無線にすることで、基板間を流れる信号の制約を取り払い、上述した基板の差し替え、基板間の配線変更などの煩わしさを回避している。
【０００５】
【特許文献１】特開２００３−１７９８２１号公報
【発明の開示】
【発明が解決しようとする課題】
【０００６】
上述した特許文献１では、公報第２３〜２４頁の「００２３」〜「０２２６」の段落に記載されるように、コントローラは、装着された複数の処理基板を認識し、内蔵メモリに記憶されたテーブルに基づいて、画像信号の処理順序を設定する。したがって、この特許文献１に記載される画像信号処理システムでは、各処理基板の他にコントローラを必要とすることから回路規模が大きくなり、しかも画像信号の処理順序を設定する際にコントローラとそれぞれの処理基板との間で通信を行う必要があり、複雑な通信制御が必要となる等の問題点がある。
【０００７】
この発明の目的は、例えば複数の処理基板を使用した情報信号の処理システムで、情報信号の入力フォーマットや出力フォーマットの変化、処理基板の追加等があるとき、コントローラが各処理基板を制御するという複雑な通信制御を不要とし、情報信号の処理順序の設定を簡単に行い得るようにすることにある。
【課題を解決するための手段】
【０００８】
この発明に係る情報信号処理装置または情報信号の処理基板は、少なくとも送信先情報および処理情報を含むヘッダを有する送信データを受信するデータ受信手段と、このデータ受信手段で受信された送信データが自己に向けられた送信データであるかを、ヘッダに含まれる送信先情報に基づいて判定する判定手段と、この判定手段で自己に向けられた送信データであると判定されるとき、ヘッダに含まれる処理情報に基づいて情報信号を処理する信号処理手段と、ヘッダに含まれる情報に基づいて、信号処理手段で処理されて得られた情報信号の少なくとも送信先情報および処理情報を含むヘッダを生成するヘッダ生成手段と、データ処理手段で処理されて得られた情報信号にヘッダ生成手段で生成されたヘッダを合成して送信データを生成するヘッダ合成手段と、このヘッダ合成手段で生成された送信データを送信するデータ送信手段とを備えるものである。
【０００９】
この発明に係る情報信号処理方法は、少なくとも送信先情報および処理情報を含むヘッダを有する送信データを受信するデータ受信ステップと、データ受信ステップで受信された送信データが自己に向けられた送信データであるかを、ヘッダに含まれる送信先情報に基づいて判定する判定ステップと、この判定ステップで自己に向けられた送信データであると判定されるとき、ヘッダに含まれる情報に基づいて情報信号を処理する信号処理ステップと、ヘッダに含まれる処理情報に基づいて、信号処理ステップで処理されて得られた情報信号の少なくとも送信先情報および処理情報を含むヘッダを生成するヘッダ生成ステップと、信号処理ステップで処理されて得られた情報信号にヘッダ生成ステップで生成されたヘッダを合成して送信データを生成するヘッダ合成ステップと、このヘッダ合成ステップで生成された送信データを送信するデータ送信ステップとを備えるものである。
【００１０】
この発明に係るプログラムは、上述した情報信号処理方法をコンピュータに実行させるためのものである。また、この発明に係るコンピュータ読み取り可能な媒体は、上述のプログラムを記録したものである。
【００１１】
また、この発明に係る情報信号処理システムは、それぞれ入力された情報信号に所定の処理を施して出力する複数の情報信号処理装置を有する情報信号処理システムであって、情報信号処理装置は、上述したように、データ受信手段、判定手段、信号処理手段、ヘッダ生成手段、ヘッダ合成手段およびデータ送信手段を備えるものである。
【００１２】
この発明に係る情報信号処理処置（処理基板）においては、送信データの受信が行われる。この送信データは、少なくとも送信先情報および処理情報を含むヘッダを有している。ヘッダに含まれる送信先情報に基づいて、この送信データが自己に向けられた送信データであるかが判定される。送信データが自己に向けられた送信データであるときは、情報信号がヘッダに含まれる処理情報に基づいて処理される。処理情報は、例えば、特定の処理を実行させるためのコマンドと、そのコマンドを実行する際に使用される制御パラメータとからなっている。
【００１３】
ここで、処理される情報信号は、受信される送信データから分離されて供給され、あるいはこの送信データとは別個に供給される。また、この情報信号は、例えば画像信号、音声信号、あるいはその両方である。また、受信される送信データのヘッダは、例えば第１のヘッダおよび第２のヘッダからなるものとされる。この場合、送信データが自己に向けられた送信データであるかの判定は、第１のヘッダに含まれる送信先情報に基づいて判定され、第２のヘッダには最終的な送信先の送信先情報および処理情報が含まれている。
【００１４】
受信された送信データのヘッダに含まれる情報に基づいて、処理後の情報信号の少なくとも送信先情報および処理情報を含むヘッダが生成される。例えば、上述したように受信された送信データのヘッダが第１のヘッダおよび第２のヘッダからなる場合には、次の送信先が最終的な送信先でないときは第１のヘッダの部分のみが変更されて新たなヘッダとされ、一方次の送信先が最終的な送信先であるときは第１のヘッダの部分は取り除かれ、第２のヘッダがそのまま新たなヘッダとされる。そして、このように生成されたヘッダが処理後の情報信号に合成されて新たな送信データが得られ、この送信データが他の情報信号処理装置（処理基板）に送信される。
【００１５】
このように、情報信号処理装置（処理基板）は、それ自身で、受信された送信データのヘッダに含まれる情報に基づいて送信先を決定するものであり、コントローラによって送信先が制御されるものではなく、従って例えば複数の処理基板を使用した情報信号の処理システムで、情報信号の入力フォーマットや出力フォーマットの変化等があるとき、情報信号の処理順序の設定が簡単に行われる。
【００１６】
なお、信号処理手段で処理されて得られた情報信号の状態を示す情報を取得する情報取得手段をさらに備え、ヘッダ生成手段は、受信された送信データのヘッダに含まれる情報および情報取得手段で取得された情報に基づいて、新たなヘッダに含める送信先情報が示す送信先を決定するようにしてもよい。これより、情報信号処理装置（処理基板）は、情報信号の状態に応じて、処理後の情報信号の送信先を決定できる。例えば、ノイズ除去処理を行う情報信号処理装置があるとき、情報信号のノイズ量が多いときは送信先をそのノイズ除去処理を行う情報信号処理装置に決定でき、一方情報信号のノイズ量が少ないときは送信先をそのノイズ除去処理行う情報信号処理装置の次に来るべき情報信号処理装置に決定できる。
【００１７】
また、他の情報信号処理装置から送信されてくる、該他の情報信号処理装置が使用可能な状態になったこと、あるいは使用不可能な状態になったことを示す状態信号を受信する信号受信手段をさらに備え、ヘッダ生成手段は、受信された送信データのヘッダに含まれる情報および信号受信手段で受信された状態信号に基づいて、新たなヘッダに含める送信先情報が示す送信先を決定するようにしてもよい。これにより、情報信号処理装置（処理基板）は、他の情報信号処理装置が使用可能な状態にあるか否かに応じて、処理後の情報信号の送信先を決定できる。例えば、ノイズ除去処理を行う情報信号処理装置が追加されて使用可能状態となるときは送信先をそのノイズ除去処理を行う情報信号処理装置に変更でき、一方ノイズ除去処理を行う情報信号処理装置が使用不可能状態となるときは送信先をそのノイズ除去処理行う情報信号処理装置の次に来るべき情報信号処理装置に変更できる。
【００１８】
また、自己の情報信号処理装置が使用可能状態になったときおよび使用不可能状態になったとき、その状態を示す状態信号を他の情報信号処理装置に送信する信号送信手段をさらに備えるようにしてもよい。例えば、自己の情報信号処理装置が筐体の所定位置に取り付けられるとき該自己の情報信号処理装置は使用可能状態となり、自己の情報信号処理装置が筐体の所定位置から取り外されるとき該自己の情報信号処理装置は使用不可能状態となる。このように状態信号を他の情報信号処理装置に送信することで、自己の情報信号処理装置が使用可能か否かを他の情報信号処理装置に知らせることができる。
【発明の効果】
【００１９】
この発明によれば、情報信号を送信データに含まれるヘッダの処理情報に基づいて処理すると共に、このヘッダの情報に基づいて処理後の情報信号の送信先情報および処理情報を含むヘッダを生成し、この生成されたヘッダを処理後の情報信号に合成して新たな送信データを生成し、この新たな送信データを送信するものであり、従って受信された送信データのヘッダに含まれる情報に基づいて送信先を決定するものであり、コントローラによって送信先が制御するものでなく、例えば複数の処理基板を使用した情報信号の処理システムで、情報信号の入力フォーマットや出力フォーマットの変化等があるとき、情報信号の処理順序の設定を簡単に行うことができる。
【発明を実施するための最良の形態】
【００２０】
以下、図面を参照しながら、この発明の実施の形態について説明する。図１は、実施の形態としての画像信号処理システム１００の構成を示している。
【００２１】
この処理システム１００は、処理基板としての、入力基板１０１と、フォーマット変換基板１０２と、ノイズ除去基板１０３と、出力基板１０４と、出力基板１０５とを有している。
【００２２】
入力基板１０１は、処理すべき画像信号Ｖinを入力するための処理基板（情報信号処理装置）である。本実施の形態において、入力基板１０１に入力される画像信号Ｖinは、例えば赤色信号、緑色信号、青色信号のコンポーネント方式（以下、「Ｒ，Ｇ，Ｂ方式」という）、あるいは輝度信号、青色差信号、赤色差信号のコンポーネント方式（以下、「Ｙ，Ｃｂ，Ｃｒ方式」という）とされる。フォーマット変換基板１０２およびノイズ除去基板１０３はＹ，Ｃｂ，Ｃｒ方式の画像信号を取り扱うことから、入力基板１０１は、画像信号ＶinがＲ，Ｇ，Ｂ方式であるときは、それをＹ，Ｃｂ，Ｃｒ方式に変換する。
【００２３】
また、本実施の形態において、入力基板１０１に入力される画像信号Ｖinは、ＳＤ(Standard Definition)信号、あるいはＨＤ(High Definition)信号とされる。ここで、ＳＤ信号は例えば４８０ｉ信号であり、ＨＤ信号は１０８０ｉ信号または７２０ｐ信号であるとする。なお、４８０ｉ信号は、有効走査線数が４８０本／フレームでインタレース方式の信号である。１０８０ｉ信号は、有効走査線数が１０８０本／フレームでインタレース方式の信号である。７２０Ｐ信号は、有効走査線数が７２０本／フレームのプログレッシブ方式の信号である。
【００２４】
フォーマット変換基板１０２は、画像信号のフォーマット変換を行うための処理基板（情報信号処理装置）である。このフォーマット変換では、走査線数の変換、インタレース方式とプログレッシブ方式との間の方式変換が行われる。入力画像信号Ｖinと出力画像信号のフォーマットが同じである場合、このフォーマット変換基板１０２は使用されない。このフォーマット変換基板１０２が使用されるのは、入力画像信号ＶinがＳＤ信号（４８０ｉ信号）で出力画像信号がＨＤ信号（１０８０ｉ信号または７２０ｐ信号）である場合、あるいはその逆の場合、並びに入力画像信号ＶinがＨＤ信号（１０８０ｉ）で出力画像信号がＨＤ信号（７２０ｐ信号）である場合、あるいはその逆の場合である。
【００２５】
ノイズ除去基板１０３は、画像信号からノイズを除去するための処理基板（情報信号処理装置）である。画像信号に含まれるノイズ量が少ない場合、このノイズ除去基板１０３は使用されない。本実施の形態において、このノイズ除去基板１０３を使用する場合、画像信号に含まれるノイズ量に応じて、ノイズ除去能力が調整される。
【００２６】
ノイズ除去基板１０３の信号処理部は、例えば図２に示すようなＩＩＲ(Infinite Impulse Response)フィルタ構成とされている。すなわち、この信号処理部は、入力に係数（１−α）を掛ける係数器１０３ａ、出力に係数α（０≦α≦１）を掛ける係数器１０３ｂ、係数器１０３ａ，１０３ｂの出力を加算する加算器１０３ｃおよびこの加算器１０３ｃの出力を１フレーム期間遅延させて出力を得るフレームメモリ１０３ｄで構成されている。この構成では、αが大きくなる程ノイズ除去能力が高くなることから、ノイズ量に応じてαの値を変化させて、ノイズ除去能力を調整できる。なお、αの値が大きくなる程、解像度が低下する。
【００２７】
出力基板１０４は、ＨＤ信号である画像信号Ｖout1をディスプレイ１に出力するための処理基板（情報信号処理装置）である。本実施の形態において、出力基板１０４は、この画像信号Ｖout1を、Ｒ，Ｇ，Ｂ方式、あるいはＹ，Ｃｂ，Ｃｒ方式で出力できる。上述したようにフォーマット変換基板１０２およびノイズ除去基板１０３はＹ，Ｃｂ，Ｃｒ方式の画像信号を取り扱うことから、出力基板１０４は、画像信号Ｖout1をＲ，Ｇ，Ｂ方式で出力するときは、Ｙ，Ｃｂ，Ｃｒ方式からＲ，Ｇ，Ｂ方式に変換する。
【００２８】
出力基板１０５は、ＳＤ信号である画像信号Ｖout2をディスプレイ２に出力するための処理基板（情報信号処理装置）である。本実施の形態において、出力基板１０５は、この画像信号Ｖout2を、Ｒ，Ｇ，Ｂ方式、あるいはＹ，Ｃｂ，Ｃｒ方式で出力できる。上述したようにフォーマット変換基板１０２およびノイズ除去基板１０３はＹ，Ｃｂ，Ｃｒ方式の画像信号を取り扱うことから、出力基板１０５は、画像信号Ｖout2をＲ，Ｇ，Ｂ方式で出力するときは、Ｙ，Ｃｂ，Ｃｒ方式からＲ，Ｇ，Ｂ方式に変換する。
【００２９】
また、処理システム１００は、リモコン送信機１０６と、リモコン受信部１０７とを有している。リモコン送信機１０６は、ユーザの操作に基づくリモコン信号ＲＭを出力する。このリモコン信号ＲＭは、例えば赤外線信号である。本実施の形態において、ユーザは、リモコン送信機１０６の操作で、「画像信号Ｖinを入力し、画像信号Ｖout1または画像信号Ｖout2を出力する」旨の指示を行うことができる。
【００３０】
この場合、ユーザは、画像信号ＶinがＳＤ信号（４８０ｉ信号）であるかＨＤ信号であるか、さらにＨＤ信号であるときはそれが１０８０ｉ信号であるか７２０ｐ信号であるか、さらには画像信号ＶinがＲ，Ｇ，Ｂ方式であるかＹ，Ｃｂ，Ｃｒ方式であるか、の情報も入力する。またこの場合、ユーザは、画像信号Ｖout1，Ｖout2がＲ，Ｇ，Ｂ方式であるかＹ，Ｃｂ，Ｃｒ方式であるか、さらには画像信号Ｖout1を出力するときそれが１０８０ｉ信号であるか７２０ｐ信号であるか、の情報も入力する。
【００３１】
リモコン受信部１０７は、リモコン送信機１０６からのリモコン信号ＲＭを受信し、その指示に対応した送信データＤ０を生成し、処理基板側に無線送信する。図３Ａ〜Ｃは、この送信データＤ０の構成を示している。この送信データＤ０は、図３Ａに示すように、第１のヘッダとしてのヘッダ１および第２のヘッダとしてのヘッダ２が連続した構成となっている。ヘッダ１およびヘッダ２は、図３Ｂ，Ｃに示すように、それぞれ、送信先ＩＤ(identification)領域、コマンド領域、制御パラメータ領域からなっている。送信先ＩＤ領域には、送信先情報としての送信先基板の基板ＩＤが記載される。コマンド領域には送信先基板に特定の処理を実行させるためのコマンドが記載されている。制御パラメータ領域には、コマンドに基づいて処理を実行する際に必要な情報が記載される。コマンド領域および制御パラメータに記載されるコマンドおよび制御パラメータは処理情報を構成している。
【００３２】
ヘッダ１の送信先ＩＤ領域には、入力基板１０１の基板ＩＤが記載される。ヘッダ１のコマンド領域には、「ＳＤ信号の入力」あるいは「ＨＤ信号の入力」のコマンドが記載される。ヘッダ１の制御パラメータ領域には、コマンドが「ＳＤ信号の入力」であるときは、画像信号ＶinがＲ，Ｇ，Ｂ方式であるかＹ，Ｃｂ，Ｃｒ方式であるか、および画像信号Ｖinが４８０ｉ信号であることが記載され、コマンドが「ＨＤ信号の入力」であるときは、画像信号ＶinがＲ，Ｇ，Ｂ方式であるかＹ，Ｃｂ，Ｃｒ方式であるか、および画像信号Ｖinが１０８０ｉ信号であるか７２０ｐ信号であるかが記載される。
【００３３】
同様に、ヘッダ２の送信先ＩＤ領域には、出力基板１０４の基板ＩＤあるいは出力基板１０５の基板ＩＤが記載される。ヘッダ２のコマンド領域には、送信先ＩＤが出力基板１０４の基板ＩＤであるときは「ＨＤ信号の出力」のコマンドが記載され、送信先ＩＤが出力基板１０５の基板ＩＤであるときは「ＳＤ信号の出力」のコマンドが記載される。ヘッダ２の制御パラメータ領域には、送信先ＩＤが出力基板１０４の基板ＩＤであるときは、画像信号Ｖout1がＲ，Ｇ，Ｂ方式であるかＹ，Ｃｂ，Ｃｒ方式であるか、および画像信号Ｖout1が１０８０ｉ信号であるか７２０ｐ信号であるかが記載され、送信先ＩＤが出力基板１０５の基板ＩＤであるときは、画像信号Ｖout2がＲ，Ｇ，Ｂ方式であるかＹ，Ｃｂ，Ｃｒ方式であるか、および画像信号Ｖout2が４８０ｉ信号であることが記載される。
【００３４】
次に、入力基板１０１、フォーマット変換基板１０２、ノイズ除去基板１０３、出力基板１０４、出力基板１０５の基本となる処理基板（情報信号処理装置）２００について説明する。図４は、処理基板２００の構成を示している。
【００３５】
この処理基板２００は、無線送受信部２０１およびインタフェース２０２を有している。送受信部２０１は、上述したリモコン受信部１０７から無線送信される送信データＤ０、他の処理基板から無線送信される送信データＤoutを受信し、また内部回路で生成される送信データＤoutを他の処理基板に無線送信する。インタフェース２０２は、送受信部２０１と内部回路との間のインタフェース処理をする。ここで、送受信部２０１は、データ受信手段およびデータ送信手段を構成している。
【００３６】
また、処理基板２００は、ヘッダ・信号分離部２０３を有している。このヘッダ・信号分離部２０３は、送受信部２０１で受信された送信データＤin（Ｄ０またはＤout）を、ヘッダＤＨと、画像信号ＳＶに分離する。図５は、送信データＤinの基本構成を示しており、最初に所定個のヘッダが配され、それに続いて画像信号が配されている。各ヘッダは、送信先ＩＤ領域、コマンド領域、制御パラメータ領域からなっている。上述したリモコン受信部１０７から送信される送信データＤ０は、２個のヘッダ（ヘッダ１、ヘッダ２）のみからなっている（図３Ａ参照）。
【００３７】
また、処理基板２００は、制御部２０４を有している。この制御部２０４は、ヘッダ・信号分離部２０３で分離されたヘッダＤＨに基づいて、受信された送信データＤinが自己に向けられたものであるか否かを判定する。この場合、制御部２０４は、先頭のヘッダの送信先ＩＤ領域に記載された基板ＩＤが自己の基板ＩＤと一致するか否かによって判定する。
【００３８】
制御部２０４は、さらに、自己の処理基板２００が使用可能状態となったとき、および使用不可能状態となったとき、その状態を示す状態信号Ｓａをインタフェース２０２および送受信部２０１を介して他の処理基板に無線送信する。制御部２０４には、画像信号処理システム１００の図示しない筐体のスロットに自己の処理基板２００が取り付けられて使用可能状態となるとき、例えば筐体側から信号ＣＮが供給される。制御部２０４は、この信号ＣＮの供給により、使用可能状態になったことを認識できる。逆に、筐体のスロットから自己の処理基板２００が取り外されて使用不可能状態となるとき、制御部２０４に信号ＣＮの供給がなくなるので、制御部２０４は使用不可能状態になったことを認識できる。ここで、送受信部２０１は、信号送信手段を構成している。
【００３９】
また、処理基板２００は、信号処理部２０５を有している。この信号処理部２０５は、制御部２０４で、送信データＤinが自己の処理基板２００に向けられたものであると判定されるとき、先頭のヘッダのコマンド領域に記載されたコマンドおよび制御パラメータ領域に記載された制御パラメータ、従って処理情報ＰＩに基づいて、ヘッダ・信号分離部２０３で分離された画像信号に対して、当該処理基板２００における処理を実行する。
【００４０】
また、処理基板２００は、ヘッダ生成部２０６を有している。このヘッダ生成部２０６は、基本的にはヘッダＤＨ（先頭のヘッダに限らない）に含まれる処理情報に基づいて、信号処理部２０５で処理された後の画像信号ＳＶ′に合成すべき新たなヘッダＤＨ′を生成する。この場合、ヘッダ生成部２０６は、ヘッダ・信号分離部２０３で分離されたヘッダＤＨのうち先頭のヘッダを除去し、残りのヘッダに次の送信先のヘッダがあるときはそれを新たなヘッダＤＨ′とし、一方残りのヘッダに次の送信先のヘッダがないときは次の送信先のヘッダを生成し、それを残りのヘッダの先頭に配置して新たなヘッダＤＨ′とする。
【００４１】
上述した信号処理部２０５で、処理後の画像信号ＳＶ′の状態を示す情報ＧＩが取得されるとき、この情報ＧＩはヘッダ生成部２０６に供給される。また、送受信部２０１で、他の処理基板から送信される、使用可能状態になったこと、あるいは使用不可能状態になったことを示す状態信号Ｓｂが受信されるとき、この状態信号Ｓｂはインタフェース２０２、制御部２０４を介してヘッダ生成部２０６に供給される。ここで、送受信部２０１は、信号受信手段を構成している。
【００４２】
ヘッダ生成部２０６は、上述したように、基本的にはヘッダ・信号分離部２０３で分離されたヘッダＤＨに含まれる情報に基づいて、信号処理部２０５で処理された後の画像信号ＳＶ′の送信先を決定する。しかし、上述したように、画像信号ＳＶ′の状態を示す情報ＧＩ、他の処理基板に係る状態信号Ｓｂが供給される場合には、これらにも基づいて画像信号ＳＶ′の送信先、つまりヘッダＤＨ′の先頭のヘッダの送信先ＩＤ領域に記載される送信先基板の基板ＩＤを決定する。
【００４３】
また、処理基板２００は、ヘッダ合成部２０７を有している。このヘッダ合成部２０７は、信号処理部２０５で処理されて得られた画像信号ＳＶ′の先頭にヘッダ生成部２０６で生成された新たなヘッダＤＨ′を合成して送信すべき送信データＤoutを形成する。この送信データＤoutは、インタフェース２０２を介して送受信部２０１に供給され、他の処理基板に無線送信される。
【００４４】
次に、図４に示す処理基板２００の動作を説明する。送受信部２０１で、送信データＤin（Ｄ０またはＤout）が受信されると、この送信データＤinは送受信部２０１からインタフェース２０２を介してヘッダ・信号分離部２０３に供給される。このヘッダ・信号分離部２０３では、送信データＤinからヘッダＤＨおよび画像信号ＳＶが分離される。画像信号ＳＶは信号処理部２０５に供給され、ヘッダＤＨは制御部２０４に供給される。
【００４５】
制御部２０４では、ヘッダＤＨのうち先頭のヘッダの送信先ＩＤ領域に記載された基板ＩＤに基づいて、受信された送信データＤinが自己に向けられたものであるか否かが判定される。この場合、送信先ＩＤ領域に記載された基板ＩＤが自己の基板ＩＤと一致するときは、受信された送信データＤinが自己に向けられたものであると判定される。
【００４６】
受信された送信データＤinが自己に向けられたものであると判定されるとき、信号処理部２０５では、先頭のヘッダに含まれているコマンドおよび制御パラメータ、つまり処理情報ＰＩに基づいて、画像信号ＳＶの処理が行われる。この信号処理部２０５で処理されて得られる画像信号ＳＶ′はヘッダ合成部２０７に供給される。
【００４７】
ヘッダ生成部２０６では、制御部２０４の制御のもと、ヘッダＤＨ（先頭のヘッダに限らない）に含まれる情報に基づいて、処理後の画像信号ＳＶ′に合成すべき新たなヘッダＤＨ′が生成される。この場合、ヘッダ・信号分離部２０３で分離されたヘッダＤＨのうち先頭のヘッダが除去され、残りのヘッダに次の送信先のヘッダがあるときはそれが新たなヘッダＤＨ′とされ、一方残りのヘッダに次の送信先のヘッダがないときは次の送信先のヘッダが生成され、それが残りのヘッダの先頭に配置されて新たなヘッダＤＨ′とされる。
【００４８】
信号処理部２０５で処理後の画像信号ＳＶ′の状態を示す情報ＧＩが取得されるとき、この情報ＧＩはヘッダ生成部２０６に供給される。また、送受信部２０１で、他の処理基板から送信される、使用可能状態になったこと、あるいは使用不可能状態になったことを示す状態信号Ｓｂが受信されるとき、この状態信号Ｓｂはインタフェース２０２、制御部２０４を介してヘッダ生成部２０６に供給される。
【００４９】
ヘッダ生成部２０６では、基本的には、ヘッダ・信号分離部２０３で分離されたヘッダＤＨに含まれる処理情報に基づいて、信号処理部２０５で処理された後の画像信号ＳＶ′の送信先が決定される。しかし、上述したように、画像信号ＳＶ′の状態を示す情報ＧＩ、他の処理基板に係る状態信号Ｓｂが供給される場合には、これらにも基づいて画像信号ＳＶ′の送信先が決定される。
【００５０】
ヘッダ生成部２０６で生成される新たなヘッダＤＨ′はヘッダ合成部２０７に供給される。このヘッダ合成部２０７では、信号処理部２０５で処理されて得られた画像信号ＳＶ′の先頭にヘッダ生成部２０６で生成された新たなヘッダＤＨ′が合成されて送信すべき送信データＤoutが形成される。そして、この送信データＤoutは、インタフェース２０２を介して送受信部２０１に供給され、他の処理基板に向けて無線送信される。
【００５１】
また、制御部２０４には、画像信号処理システム１００の図示しない筐体のスロットに自己の処理基板２００が取り付けられて使用可能状態となるとき、例えば筐体側から信号ＣＮが供給される。逆に、自己の処理基板２００が筐体のスロットから取り外されて使用不可能状態となるとき、制御部２０４に信号ＣＮの供給がなくなる。このように自己の処理基板２００が使用可能状態となったとき、および使用不可能状態となったとき、制御部２０４から、その状態を示す状態信号Ｓａが、インタフェース２０２および送受信部２０１を介して他の処理基板に無線送信される。
【００５２】
図４に示す処理基板２００は、上述したように、入力基板１０１、フォーマット変換基板１０２、ノイズ除去基板１０３、出力基板１０４、出力基板１０５の基本となるものである。個々の処理基板は、その処理の種類により、基本構成に変更が加えられる。以下、各基板について説明する。
【００５３】
まず、入力基板１０１について説明する。入力基板１０１は、処理基板２００と略同様に構成される。しかし、この入力基板１０１で受信される送信データＤinは、リモコン受信部１０７から送信される送信データＤ０であり、ヘッダＤＨ（ヘッダ１およびヘッダ２）のみからなっている（図３Ａ参照）。そのため、ヘッダ・信号分離部２０３で画像信号ＳＶは分離されず、画像信号Ｖinが信号処理部２０５に直接入力される。信号処理部２０５では、画像信号Ｖinを取り込む処理、さらにはその画像信号ＶinがＲ，Ｇ，Ｂ方式であるときは、それをＹ，Ｃｂ，Ｃｒ方式に変換する処理を行って、画像信号ＳＶ′が得られる。
【００５４】
また、入力基板１０１の場合、信号処理部２０５は、画像信号ＳＶ′に含まれるノイズの量を示すノイズ量情報を、画像信号ＳＶ′の状態を示す情報ＧＩとして取得する。すなわち、この信号処理部２０５は、信号処理手段の他に情報取得手段も構成している。例えば、信号処理部２０５に入力される画像信号Ｖinに予めノイズ量情報が付加されており、信号処理部２０５は、この画像信号Ｖinからそのノイズ量情報を抽出する。
【００５５】
また、入力基板１０１の場合、ヘッダ生成部２０６では、信号処理部２０５から供給される情報ＧＩによりノイズ量情報から処理後の画像信号ＳＶ′に含まれるノイズ量が多いと判定され、かつ情報信号Ｓｂによりノイズ除去基板１０３が使用可能状態にあると判定されるときは、送信先の処理基板はノイズ除去基板１０３に決定される。
【００５６】
一方、ノイズ量情報から処理後の画像信号ＳＶ′に含まれるノイズ量が多いと判定されるが、情報信号Ｓｂによりノイズ除去基板１０３が使用不可能状態にあるとき、あるいはノイズ量情報から処理後の画像信号ＳＶ′に含まれるノイズ量が少ないと判定されるときは、送信先の処理基板はヘッダＤＨの情報に基づいて決定される。すなわち、ヘッダ１、ヘッダ２の情報から、入力画像信号Ｖinと最終的に出力される画像信号のフォーマットが異なると判定されるときは送信先の処理基板はフォーマット変換基板１０２とされ、入力画像信号Ｖinと最終的に出力される画像信号のフォーマットが同じであると判定されるときは、ヘッダ２の情報から送信先の処理基板は出力基板１０４または出力基板１０５とされる。
【００５７】
図６Ａ，Ｂ，Ｃは、入力基板１０１から送信される送信データＤoutの構成を示している。図６Ａは、送信先がノイズ除去基板であるときの送信データＤoutである。この送信データＤoutは、ヘッダ３およびヘッダ２が配置され、その後に画像信号が配置された構成となっている。ヘッダ２は、上述したリモコン受信部１０７から送信される送信データＤ０におけるヘッダ２と同じものである（図３Ｃ参照）。以下の図６Ｂ，Ｃにおいても同様である。
【００５８】
ヘッダ３の送信先ＩＤ領域には、ノイズ除去基板１０３の基板ＩＤが記載される。ヘッダ３のコマンド領域には、「ノイズを除去する」のコマンドが記載される。ヘッダ３の制御パラメータ領域には、ノイズ量情報および入力画像信号Ｖinのフォーマットが記載されている。ノイズ量情報は、ノイズ除去基板１０３における信号処理部でノイズ除去能力を調整するために使用される。入力画像信号Ｖinのフォーマットは、ノイズ除去基板１０３のヘッダ生成部２０６で送信先を決定する際に必要となる。この場合、ヘッダ生成部２０６では、ヘッダＤＨを構成するヘッダ１およびヘッダ２のうちヘッダ１が除去され、その代わりにヘッダ３が生成され、このヘッダ３と残りのヘッダ２とで新たなヘッダＤＨ′が形成される。
【００５９】
図６Ｂは、送信先がフォーマット変換基板１０２であるときの送信データＤoutである。この送信データＤoutは、ヘッダ４およびヘッダ２が配置され、その後に画像信号が配置された構成となっている。ヘッダ４の送信先ＩＤ領域には、フォーマット変換基板１０２の基板ＩＤが記載される。ヘッダ４のコマンド領域には、「フォーマットを変換する」のコマンドが記載される。ヘッダ４の制御パラメータ領域には、ＳＤ信号からＨＤ信号への変換、その逆の変換、ＨＤ信号（１０８０ｉ信号）からＨＤ信号（７２０ｐ信号）への変換、あるいはその逆の変換、というような変換態様が記載される。この場合、ヘッダ生成部２０６では、ヘッダＤＨを構成するヘッダ１およびヘッダ２のうちヘッダ１が除去され、その代わりにヘッダ４が生成され、このヘッダ４と残りのヘッダ２とで新たなヘッダＤＨ′が形成される。
【００６０】
図６Ｃは、送信先が出力基板１０４または１０５であるときの送信データＤoutである。この送信データＤoutは、ヘッダ２が配置され、その後に画像信号が配置された構成となっている。この場合、ヘッダ生成部２０６では、ヘッダＤＨを構成するヘッダ１およびヘッダ２のうちヘッダ１が除去され、残りのヘッダ２が新たなヘッダＤＨ′とされる。
【００６１】
次に、ノイズ除去基板１０３について説明する。ノイズ除去基板１０３は、処理基板２００と同様に構成される。信号処理部２０５では、画像信号ＳＶからノイズを除去する処理が行われる。この場合、信号処理部２０５は、例えば上述の図２に示すＩＩＲフィルタの構成とされている。この信号処理部２０５では、処理情報ＰＩとしてのノイズ量情報に基づいてαの値が変更され、ノイズ除去能力の調整が行われる。
【００６２】
ノイズ除去基板１０３では、信号処理部２０５で画像信号ＳＶ′の状態を示す情報ＧＩは取得されない。ヘッダ生成部２０６では、送信先を決定する際に、情報ＧＩおよび状態信号Ｓｂを考慮せず、ヘッダＤＨに含まれる情報に基づいて決定される。すなわち、入力画像信号Ｖinと最終的に出力される画像信号のフォーマットが異なると判定されるときは送信先の処理基板はフォーマット変換基板１０２とされ、入力画像信号Ｖinと最終的に出力される画像信号のフォーマットが同じであると判定されるときは、ヘッダ２の情報から送信先の処理基板は出力基板１０４または出力基板１０５とされる。
【００６３】
図７Ａ，Ｂは、ノイズ除去基板１０３から送信される送信データＤoutの構成を示している。図７Ａは、送信先がフォーマット変換基板１０２であるときの送信データＤoutである。この送信データＤoutは、ヘッダ４およびヘッダ２が配置され、その後に画像信号が配置された構成となっている。ヘッダ２は、上述したリモコン受信部１０７から送信される送信データＤ０におけるヘッダ２と同じものである（図３Ｃ参照）。以下の図７Ｂにおいても同様である。
【００６４】
ヘッダ４の送信先ＩＤ領域には、フォーマット変換基板１０２の基板ＩＤが記載される。ヘッダ４のコマンド領域には、「フォーマットを変換する」のコマンドが記載される。ヘッダ４の制御パラメータ領域には、ＳＤ信号からＨＤ信号への変換、その逆の変換、ＨＤ信号（１０８０ｉ信号）からＨＤ信号（７２０ｐ信号）への変換、あるいはその逆の変換、というような変換態様が記載される。この場合、ヘッダ生成部２０６では、ヘッダＤＨを構成するヘッダ３およびヘッダ２のうちヘッダ３が除去され、その代わりにヘッダ４が生成され、このヘッダ４と残りのヘッダ２とで新たなヘッダＤＨ′が形成される。
【００６５】
図７Ｂは、送信先が出力基板１０４または１０５であるときの送信データＤoutである。この送信データＤoutは、ヘッダ２が配置され、その後に画像信号が配置された構成となっている。この場合、ヘッダ生成部２０６では、ヘッダＤＨを構成するヘッダ３およびヘッダ２のうちヘッダ３が除去され、残りのヘッダ２が新たなヘッダＤＨ′とされる。
【００６６】
次に、フォーマット変換基板１０２について説明する。フォーマット変換基板１０２は、処理基板２００と同様に構成される。信号処理部２０５では、画像信号ＳＶのフォーマットを変換する処理が行われる。このフォーマット変換基板１０２では、信号処理部２０５で画像信号ＳＶ′の状態を示す情報ＧＩは取得されない。ヘッダ生成部２０６では、送信先を決定する際に、情報ＧＩおよび状態信号Ｓｂを考慮せず、ヘッダＤＨに含まれる情報に基づいて決定される。すなわち、ヘッダ２の情報から送信先の処理基板は出力基板１０４または出力基板１０５とされる。
【００６７】
図８は、フォーマット変換基板１０２から送信される送信データＤoutの構成を示している。この送信データＤoutは、ヘッダ２が配置され、その後に画像信号が配置された構成となっている。この場合、ヘッダ生成部２０６では、ヘッダＤＨを構成するヘッダ４およびヘッダ２のうちヘッダ４が除去され、残りのヘッダ２が新たなヘッダＤＨ′とされる。
【００６８】
次に、出力基板１０４，１０５について説明する。出力基板１０４，１０５は、処理基板２００とは、送信データＤoutを他の処理基板に送信するための処理系がないことを除き、同様に構成される。すなわち、出力基板１０４，１０５では、ヘッダ生成部２０６およびヘッダ合成部２０７は存在せず、信号処理部２０５で処理された後の画像信号ＳＶ′が、画像信号Ｖout1またはＶout2として出力される。信号処理部２０５では、ヘッダ・信号分離部２０３で分離された画像信号ＳＶを画像信号Ｖout1またはＶout2として出力する処理、さらには画像信号Ｖout1またはＶout2がＲ，Ｇ，Ｂ方式であるときは、Ｙ，Ｃｂ，Ｃｒ方式からＲ，Ｇ，Ｂ方式に変換する処理が行われる。
【００６９】
図１に示す画像信号処理システム１００の動作例を説明する。この動作例は、入力基板１０１に入力される画像信号ＶinがＳＤ信号（４８０ｉ信号）であり、出力基板１０４からＨＤ信号（１０８０ｉ信号）を出力する例である。そして、この例では、ノイズ除去基板１０３が使用不可能状態にあるものとする。
【００７０】
まず、ユーザのリモコン送信機１０６の操作に基づき、リモコン受信部１０７から送信データＤ０が処理基板側に向かって送信される。この送信データＤ０は、ヘッダ１およびヘッダ２が連続した構成となっている（図９Ａ，図３Ａ〜Ｃ参照）。ヘッダ１には入力基板１０１における処理情報（コマンドおよび制御パラメータ）が記載されており、その送信先ＩＤとして入力基板１０１の基板ＩＤが記載されている。ヘッダ２には出力基板１０４における処理情報が記載されており、その送信先ＩＤとして出力基板１０４の基板ＩＤが記載されている。
【００７１】
リモコン受信部１０７から無線送信される送信データＤ０は、各処理基板で受信される。各処理基板では、ヘッダ・信号分離部２０３で送信データＤ０（Ｄin)からヘッダＤＨが分離され、制御部２０４でその先頭のヘッダであるヘッダ１の送信先ＩＤ領域に記載された基板ＩＤが自己の基板ＩＤと一致するか否かにより送信データＤ０が自己に向けられたものであるか否かが判定される。
【００７２】
上述したようにヘッダ１には送信先ＩＤとして入力基板１０１の基板ＩＤが記載されていることから、入力基板１０１の制御部２０４では、送信データＤ０が自己に向けられたものであると判定される。一方、その他の処理基板では、送信データＤ０が自己に向けられたものでないと判定され、ヘッダ１に含まれる処理情報に基づく処理は行われない。
【００７３】
入力基板１０１では、ヘッダ１に含まれる処理情報ＰＩに基づいて、信号処理部２０５で画像信号Ｖinを取り込む処理、さらにはその画像信号ＶinがＲ，Ｇ，Ｂ方式であるときは、それをＹ，Ｃｂ，Ｃｒ方式に変換する処理が行われて、画像信号ＳＶ′が得られる。また、この入力基板１０１では、信号処理部２０５で、画像信号Ｖinに付加されているノイズ量情報が、画像信号ＳＶ′の状態を示す情報ＧＩとして取得される。
【００７４】
入力基板１０１のヘッダ生成部２０６では、画像信号ＳＶ′に合成すべき新たなヘッダＤＨ′が生成される。このヘッダ生成部２０６では、ノイズ除去基板１０３が使用不可能状態にあり、ヘッダＤＨの情報が入力画像信号Ｖinと出力画像信号Ｖout1のフォーマットが異なることを示しているため、送信先の処理基板はフォーマット変換基板１０２とされる。このヘッダ生成部２０６では、フォーマット変換基板１０２における処理情報（コマンドおよび制御パラメータ）が記載され、その送信先ＩＤとしてフォーマット変換基板１０２の基板ＩＤが記載されたヘッダ４が生成され、このヘッダ４とヘッダ２とで新たなヘッダＤＨ′が形成される。
【００７５】
そして、入力基板１０１では、信号処理部２０５で処理されて得られた画像信号ＳＶ′の先頭にヘッダ生成部２０６で生成された新たなヘッダＤＨ′が合成されて送信すべき送信データＤoutが生成される（図９Ｂ、図６Ｂ参照）。この送信データＤoutは、入力基板１０１から、他の処理基板に向けて無線送信される。
【００７６】
このように入力基板１０１から送信される送信データＤoutは、各処理基板で受信される。各処理基板では、ヘッダ・信号分離部２０３で送信データＤout（Ｄin)からヘッダＤＨが分離され、制御部２０４でその先頭のヘッダであるヘッダ４の送信先ＩＤ領域に記載された基板ＩＤが自己の基板ＩＤと一致するか否かにより送信データＤoutが自己に向けられたものであるか否かが判定される。
【００７７】
上述したようにヘッダ４には送信先ＩＤとしてフォーマット変換基板１０２の基板ＩＤが記載されていることから、フォーマット変換基板１０２の制御部２０４では、送信データＤoutが自己に向けられたものであると判定される。一方、その他の処理基板では、送信データＤoutが自己に向けられたものでないと判定され、ヘッダ４に含まれる処理情報に基づく処理は行われない。
【００７８】
フォーマット変換基板１０２では、信号処理部２０５で、ヘッダ４に含まれる処理情報ＰＩに基づいて、ヘッダ・信号分離部２０３で分離された画像信号ＳＶであるＳＤ信号（４８０ｉ信号）がＨＤ信号（１０８０ｉ信号）に変換され、画像信号ＳＶ′が得られる。
【００７９】
そして、フォーマット変換基板１０２のヘッダ生成部２０６では、画像信号ＳＶ′に合成すべき新たなヘッダＤＨ′が生成される。このヘッダ生成部２０６では、ヘッダＤＨの情報が最終的にＨＤ信号（１０８０ｉ信号）である画像信号Ｖout1を出力することを示しているため、送信先の処理基板は出力基板１０４とされる。このヘッダ生成部２０６では、ヘッダＤＨを構成するヘッダ４およびヘッダ２のうちヘッダ４が除去され、残りのヘッダ２が新たなヘッダＤＨ′とされる。
【００８０】
そして、フォーマット変換基板１０２では、信号処理部２０５で処理されて得られた画像信号ＳＶ′の先頭にヘッダ生成部２０６で生成された新たなヘッダＤＨ′が合成されて送信すべき送信データＤoutが生成される（図９Ｃ、図８参照）。この送信データＤoutは、フォーマット変換基板１０２から、他の処理基板に向けて無線送信される。
【００８１】
このようにフォーマット変換基板１０２から送信される送信データＤoutは、各処理基板で受信される。各処理基板では、ヘッダ・信号分離部２０３で送信データＤout（Ｄin)からヘッダＤＨが分離され、制御部２０４でその先頭のヘッダであるヘッダ２の送信先ＩＤ領域に記載された基板ＩＤが自己の基板ＩＤと一致するか否かにより送信データＤoutが自己に向けられたものであるか否かが判定される。
【００８２】
上述したようにヘッダ２には送信先ＩＤとして出力基板１０４の基板ＩＤが記載されていることから、出力基板１０４の制御部２０４では、送信データＤoutが自己に向けられたものであると判定される。一方、その他の処理基板では、送信データＤoutが自己に向けられたものでないと判定され、ヘッダ２に含まれる処理情報に基づく処理は行われない。
【００８３】
出力基板１０４では、信号処理部２０５で、ヘッダ２に含まれる処理情報ＰＩに基づいて、ヘッダ・信号分離部２０３で分離された画像信号ＳＶを画像信号Ｖout1として出力する処理が行われる（図９Ｄ参照）。その場合、画像信号Ｖout1がＲ，Ｇ，Ｂ方式であるときは、Ｙ，Ｃｂ，Ｃｒ方式からＲ，Ｇ，Ｂ方式に変換する処理も行われる。
【００８４】
また、図１に示す画像信号処理システム１００の他の動作例を説明する。この動作例は、入力基板１０１に入力される画像信号ＶinがＳＤ信号（４８０ｉ信号）であり、出力基板１０４からＨＤ信号（１０８０ｉ信号）を出力する例である。そして、この例では、ノイズ除去基板１０３が使用可能状態にあり、しかも入力基板１０１の信号処理部２０５で取得されるノイズ量情報が画像信号ＳＶ′に含まれるノイズ量が多いことを示しているものとする。
【００８５】
まず、ユーザのリモコン送信機１０６の操作に基づき、リモコン受信部１０７から送信データＤ０が処理基板側に向かって送信される。この送信データＤ０は、ヘッダ１およびヘッダ２が連続した構成となっている（図１０Ａ、図３Ａ〜Ｃ参照）。ヘッダ１には入力基板１０１における処理情報（コマンドおよび制御パラメータ）が記載されており、その送信先ＩＤとして入力基板１０１の基板ＩＤが記載されている。ヘッダ２には出力基板１０４における処理情報が記載されており、その送信先ＩＤとして出力基板１０４の基板ＩＤが記載されている。
【００８６】
リモコン受信部１０７から無線送信される送信データＤ０は、各処理基板で受信される。各処理基板では、ヘッダ・信号分離部２０３で送信データＤ０（Ｄin)からヘッダＤＨが分離され、制御部２０４でその先頭のヘッダであるヘッダ１の送信先ＩＤ領域に記載された基板ＩＤが自己の基板ＩＤと一致するか否かにより送信データＤ０が自己に向けられたものであるか否かが判定される。
【００８７】
上述したようにヘッダ１には送信先ＩＤとして入力基板１０１の基板ＩＤが記載されていることから、入力基板１０１の制御部２０４では、送信データＤ０が自己に向けられたものであると判定される。一方、その他の処理基板では、送信データＤ０が自己に向けられたものでないと判定され、ヘッダ１に含まれる処理情報に基づく処理は行われない。
【００８８】
入力基板１０１では、ヘッダ１に含まれる処理情報ＰＩに基づいて、信号処理部２０５で画像信号Ｖinを取り込む処理、さらにはその画像信号ＶinがＲ，Ｇ，Ｂ方式であるときは、それをＹ，Ｃｂ，Ｃｒ方式に変換する処理が行われて、画像信号ＳＶ′が得られる。また、この入力基板１０１では、信号処理部２０５で、画像信号Ｖinに付加されているノイズ量情報が、画像信号ＳＶ′の状態を示す情報ＧＩとして取得される。
【００８９】
入力基板１０１のヘッダ生成部２０６では、画像信号ＳＶ′に合成すべき新たなヘッダＤＨ′が生成される。このヘッダ生成部２０６では、ノイズ除去基板１０３が使用可能状態にあり、かつノイズ量情報から画像信号ＳＶ′に含まれるノイズ量が多いと判定されるため、送信先の処理基板はノイズ除去基板１０３とされる。このヘッダ生成部２０６では、ノイズ除去基板１０３における処理情報（コマンドおよび制御パラメータ）が記載され、その送信先ＩＤとしてノイズ除去基板１０３の基板ＩＤが記載されたヘッダ３が生成され、このヘッダ３とヘッダ２とで新たなヘッダＤＨ′が形成される。
【００９０】
そして、入力基板１０１では、信号処理部２０５で処理されて得られた画像信号ＳＶ′の先頭にヘッダ生成部２０６で生成された新たなヘッダＤＨ′が合成されて送信すべき送信データＤoutが生成される（図１０Ｂ、図６Ａ参照）。この送信データＤoutは、入力基板１０１から、他の処理基板に向けて無線送信される。
【００９１】
このように入力基板１０１から送信される送信データＤoutは、各処理基板で受信される。各処理基板では、ヘッダ・信号分離部２０３で送信データＤout（Ｄin)からヘッダＤＨが分離され、制御部２０４でその先頭のヘッダであるヘッダ３の送信先ＩＤ領域に記載された基板ＩＤが自己の基板ＩＤと一致するか否かにより送信データＤoutが自己に向けられたものであるか否かが判定される。
【００９２】
上述したようにヘッダ３には送信先ＩＤとしてノイズ除去基板１０３の基板ＩＤが記載されていることから、ノイズ除去基板１０３の制御部２０４では、送信データＤoutが自己に向けられたものであると判定される。一方、その他の処理基板では、送信データＤoutが自己に向けられたものでないと判定され、ヘッダ３に含まれる処理情報に基づく処理は行われない。
【００９３】
ノイズ除去基板１０３では、信号処理部２０５で、ヘッダ３に含まれる処理情報ＰＩに基づいて、ヘッダ・信号分離部２０３で分離された画像信号ＳＶからノイズが除去され、画像信号ＳＶが得られる。そして、ノイズ除去基板１０３のヘッダ生成部２０６では、画像信号ＳＶ′に合成すべき新たなヘッダＤＨ′が生成される。このヘッダ生成部２０６では、ヘッダＤＨの情報が入力画像信号Ｖinと出力画像信号Ｖout1のフォーマットが異なることを示しているため、送信先の処理基板はフォーマット変換基板１０２とされる。このヘッダ生成部２０６では、フォーマット変換基板１０２における処理情報（コマンドおよび制御パラメータ）が記載され、その送信先ＩＤとしてフォーマット変換基板１０２の基板ＩＤが記載されたヘッダ４が生成され、このヘッダ４とヘッダ２とで新たなヘッダＤＨ′が形成される。
【００９４】
そして、ノイズ除去基板１０３では、信号処理部２０５で処理されて得られた画像信号ＳＶ′の先頭にヘッダ生成部２０６で生成された新たなヘッダＤＨ′が合成されて送信すべき送信データＤoutが生成される（図１０Ｃ、図７Ａ参照）。この送信データＤoutは、ノイズ除去基板１０３から、他の処理基板に向けて無線送信される。
【００９５】
このようにノイズ除去基板１０３から送信される送信データＤoutは、各処理基板で受信される。各処理基板では、ヘッダ・信号分離部２０３で送信データＤout（Ｄin)からヘッダＤＨが分離され、制御部２０４でその先頭のヘッダであるヘッダ４の送信先ＩＤ領域に記載された基板ＩＤが自己の基板ＩＤと一致するか否かにより送信データＤoutが自己に向けられたものであるか否かが判定される。
【００９６】
上述したようにヘッダ４には送信先ＩＤとしてフォーマット変換基板１０２の基板ＩＤが記載されていることから、フォーマット変換基板１０２の制御部２０４では、送信データＤoutが自己に向けられたものであると判定される。一方、その他の処理基板では、送信データＤoutが自己に向けられたものでないと判定され、ヘッダ４に含まれる処理情報に基づく処理は行われない。
【００９７】
フォーマット変換基板１０２では、信号処理部２０５で、ヘッダ４に含まれる処理情報ＰＩに基づいて、ヘッダ・信号分離部２０３で分離された画像信号ＳＶであるＳＤ信号（４８０ｉ信号）がＨＤ信号（１０８０ｉ信号）に変換され、画像信号ＳＶ′が得られる。
【００９８】
そして、フォーマット変換基板１０２のヘッダ生成部２０６では、画像信号ＳＶ′に合成すべき新たなヘッダＤＨ′が生成される。このヘッダ生成部２０６では、ヘッダＤＨの情報が最終的にＨＤ信号（１０８０ｉ信号）である画像信号Ｖout1を出力することを示しているため、送信先の処理基板は出力基板１０４とされる。このヘッダ生成部２０６では、ヘッダＤＨを構成するヘッダ４およびヘッダ２のうちヘッダ４が除去され、残りのヘッダ２が新たなヘッダＤＨ′とされる。
【００９９】
そして、フォーマット変換基板１０２では、信号処理部２０５で処理されて得られた画像信号ＳＶ′の先頭にヘッダ生成部２０６で生成された新たなヘッダＤＨ′が合成されて送信すべき送信データＤoutが生成される（図１０Ｄ、図８参照）。この送信データＤoutは、フォーマット変換基板１０２から、他の処理基板に向けて無線送信される。
【０１００】
このようにフォーマット変換基板１０２から送信される送信データＤoutは、各処理基板で受信される。各処理基板では、ヘッダ・信号分離部２０３で送信データＤout（Ｄin)からヘッダＤＨが分離され、制御部２０４でその先頭のヘッダであるヘッダ２の送信先ＩＤ領域に記載された基板ＩＤが自己の基板ＩＤと一致するか否かにより送信データＤoutが自己に向けられたものであるか否かが判定される。
【０１０１】
上述したようにヘッダ２には送信先ＩＤとして出力基板１０４の基板ＩＤが記載されていることから、出力基板１０４の制御部２０４では、送信データＤoutが自己に向けられたものであると判定される。一方、その他の処理基板では、送信データＤoutが自己に向けられたものでないと判定され、ヘッダ２に含まれる処理情報に基づく処理は行われない。
【０１０２】
出力基板１０４では、信号処理部２０５で、ヘッダ２に含まれる処理情報ＰＩに基づいて、ヘッダ・信号分離部２０３で分離された画像信号ＳＶを画像信号Ｖout1として出力する処理が行われる（図１０Ｅ参照）。その場合、画像信号Ｖout1がＲ，Ｇ，Ｂ方式であるときは、Ｙ，Ｃｂ，Ｃｒ方式からＲ，Ｇ，Ｂ方式に変換する処理も行われる。
【０１０３】
上述した実施の形態においては、処理基板（入力基板１０１、フォーマット変換基板１０２、ノイズ除去基板１０３）は、基本的には送信データＤ０，Ｄoutのヘッダに含まれる処理情報に基づき、それ自身で送信先を決定するものであり、コントローラによって送信先が制御されるものではない。したがって、入力基板１０１に入力される画像信号Ｖinのフォーマット、ディスプレイに出力される画像信号のフォーマットの変化があるとき、リモコン受信部１０７から出力される送信データＤ０を構成するヘッダ１，ヘッダ２の処理情報（コマンド、制御パラメータ）を変化させるだけで済み、画像信号の処理順序の設定を簡単に行うことができる。また、コントローラが不要であるので、画像信号処理システム１００の回路規模を小さくできる。
【０１０４】
また、上述した実施の形態においては、処理基板２００は、信号処理部２０５で処理後の画像信号ＳＶ′の状態を示す情報ＧＩを取得でき、ヘッダ生成部２０６は、ヘッダ・信号分離部２０３で分離されたヘッダＤＨに含まれる情報および信号処理部２０５で取得された情報ＧＩに基づいて、送信先の処理基板を決定できる。例えば、入力基板１０１は、処理後の画像信号ＳＶ′の状態を示す情報ＧＩとしてノイズ量情報を取得でき、ヘッダ生成部２０６では、ヘッダ・信号分離部２０３で分離されたヘッダＤＨに含まれる情報およびそのノイズ量情報に基づいて、送信先の処理基板を決定できる。したがって、入力基板１０１は、画像信号ＳＶ′に含まれるノイズ量に応じて送信先を決定でき、ノイズ量が少ないときにノイズ除去基板１０３でノイズ除去処理をする等の無駄を省き、またそれによる画質劣化を防止できる。
【０１０５】
また、上述した実施の形態においては、処理基板２００は、他の処理基板から送信されてくる、該他の処理基板が使用可能な状態にあるか否かを示す状態信号Ｓｂを受信でき、ヘッダ生成部２０６は、ヘッダ・信号分離部２０３で分離されたヘッダＤＨに含まれる処理情報および受信された状態信号Ｓｂに基づいて、送信先の処理基板を決定できる。つまり、処理基板のヘッダ生成部２０６は、他の処理基板が使用可能な状態にあるか否かに応じて、送信先を自動的に変更するため、処理基板の取り付け、取り外しを容易に行うことができる。
【０１０６】
例えば、入力基板１０１のヘッダ生成部２０６は、ノイズ除去基板１０３からの状態信号Ｓｂにより、当該ノイズ除去基板１０３が使用可能な状態にあるか否かを把握でき、送信先の処理基板を即座に変更できる。すなわち、ヘッダ生成部２０６は、処理後の画像信号ＳＶ′に含まれるノイズ量が多い場合、ノイズ除去基板１０３が筐体のスロットに取り付けられて使用可能状態となるときは、送信先の処理基板を直ちにノイズ除去基板１０３に変更する。逆に、ヘッダ生成部２０６は、ノイズ除去基板１０３が筐体のスロットから取り外されて使用不可能状態となるときは、送信先の処理基板を直ちにフォーマット変換基板１０２に変更する。
【０１０７】
また、上述した実施の形態においては、処理基板２００は、自己の処理基板が例えば筐体のスロットに取り付けられて使用可能状態になったとき、および例えば筐体のスロットから取り外されて使用不可能状態になったとき、その状態を示す状態信号Ｓａを他の処理基板に無線送信するものであり、自己の処理基板が使用可能か否かを他の処理基板に容易に知らせることができる。
【０１０８】
なお、図４に示す処理基板２００における処理を、例えば図１１に示すような画像信号処理装置３００によりソフトウェアで実現することも可能である。
【０１０９】
この画像信号処理装置３００は、装置全体の動作を制御するコンピュータであるＣＰＵ(Central Processing Unit)３０１と、このＣＰＵ３０１の動作プログラム等が格納されたＲＯＭ(read only memory)３０２と、ＣＰＵ３０１の作業領域を構成するＲＡＭ(random access memory)３０３とを有している。これらＣＰＵ３０１、ＲＯＭ３０２およびＲＡＭ３０３は、それぞれバス３０４に接続されている。また、画像信号処理装置３００は、リモコン受信部１０７および他の処理基板との間で通信を行う送受信部３０５を有している。この送受信部３０５は、入出力インタフェース３０６を介して、バス３０４に接続されている。なお、ＲＯＭ３０２の代わりに、動作プログラム等が記憶されたリムーバブルなメモリカード等を着脱可能に構成し、種々の処理を行う処理基板２００に対応させることもできる。
【０１１０】
次に、図１２のフローチャートを参照して、画像信号処理装置３００における画像信号処理を説明する。
ステップＳＴ１で処理を開始し、ステップＳＴ２で、送受信部３０５で、リモコン受信部１０７あるいは他の処理基板からの送信データを受信したか否かを判定する。送信データの受信があるときは、ステップＳＴ３で、受信された送信データからヘッダＤＨを抽出し、ステップＳＴ４で、先頭のヘッダに含まれる送信先ＩＤから自己に向けられた送信データであるか否かを判定する。自己に向けられた送信データでないときは、ステップＳＴ２に戻って、送信データの受信判定を行う。一方、自己に向けられた送信データであるときは、ステップＳＴ５に進む。
【０１１１】
ステップＳＴ５では、受信された送信データの先頭のヘッダから処理情報としてのコマンドおよび制御パラメータを抽出する。またステップＳＴ６で、受信された送信データから画像信号ＳＶを抽出する。そして、ステップＳＴ７で、抽出された画像信号ＳＶをステップＳＴ５で抽出された処理情報に基づいて処理して画像信号ＳＶ′を得る。なお、入力基板１０１に対応する画像信号処理では、ステップＳＴ６の処理はなく、ステップＳＴ７で、入出力インタフェース３０６を介して画像信号Ｖinを取り込み、必要に応じてコンポーネント方式の変換を行う。
【０１１２】
次に、ステップＳＴ８で、処理後の画像信号ＳＶ′に合成すべきヘッダＤＨ′を生成する。この場合、ステップＳＴ３で抽出されたヘッダＤＨに含まれる情報等に基づいて、送信先の処理基板を決定する。この場合、送受信部３０５で受信される他の処理基板から送られてくる使用可能状態あるいは使用不可能状態を示す状態信号ＳｂおよびステップＳＴ７の信号処理で取得される処理後の画像信号ＳＶ′の状態を示す情報ＧＩも、送信先を決定する際に利用される。
【０１１３】
次に、ステップＳＴ９で、処理後の画像信号ＳＶ′にヘッダＤＨ′を合成して送信データＤoutを生成し、ステップＳＴ１０で、この送信データＤoutを、送受信部３０５から他の処理基板に向けて無線送信する。その後に、ステップＳＴ２に戻る。なお、出力基板１０４，１０５に対応する画像信号処理では、ステップＳＴ８〜ステップＳＴ１０の処理はなく、ステップＳＴ７で画像信号Ｖout1，Ｖout2が出力される。
【０１１４】
なお、上述実施の形態においては、ユーザが、リモコン送信機１０６の操作で、「画像信号Ｖinを入力し、画像信号Ｖout1または画像信号Ｖout2を出力する」旨の指示を行う際に、画像信号ＶinがＳＤ信号であるかＨＤ信号であるか、さらにＨＤ信号であるときはそれが１０８０ｉ信号であるか７２０ｐ信号であるか、すなわちこの画像信号Ｖinのフォーマットを入力するものであるが、この画像信号Ｖinのフォーマットは、ライン数を数えること等で判別可能なので、必ずしも入力しなくてもよい。
【０１１５】
その場合、リモコン受信部１０７で生成され、処理基板側に無線送信される送信データＤ０のヘッダ１の内容は、図３Ｂに示すものと異なるものとなる。すなわち、画像信号ＶinがＳＤ信号であるかＨＤ信号であるか不明なので、コマンド領域には、単に「信号の入力」のコマンドが記載され、制御パラメータ領域には、単に、画像信号ＶinがＲ，Ｇ，Ｂ方式であるかＹ，Ｃｂ，Ｃｒ方式であるかが記載される。そしてその場合、画像信号Ｖinのフォーマットは、画像信号Ｖinが入力される入力基板１０１において、上述したように、ライン数を数えること等で判別される。
【０１１６】
また、上述実施の形態においては、フォーマット変換基板１０２およびノイズ除去基板１０３がＹ，Ｃｂ，Ｃｒ方式の画像信号を取り扱うものとしているが、この発明は、これらフォーマット変換基板１０２およびノイズ除去基板１０３がＲ，Ｇ，Ｂ方式の画像信号を取り扱うものにも同様に適用できる。その場合、入力基板１０１および出力基板１０４，１０５における処理が、上述実施の形態とは、逆の関係になる。すなわち、入力基板１０１では、画像信号ＶinがＹ，Ｃｂ，Ｃｒ方式であるときは、Ｙ，Ｃｂ，Ｃｒ方式からＲ，Ｇ，Ｂ方式に変換する処理が行われる。また、出力基板１０４，１０５では、画像信号Ｖout1，Ｖout2をＹ，Ｃｂ，Ｃｒ方式で出力するとき、Ｒ，Ｇ，Ｂ方式からＹ，Ｃｂ，Ｃｒ方式に変換する処理が行われる。
【０１１７】
また、上述実施の形態においては、ＨＤ信号出力用の出力基板１０４と、ＳＤ信号出力用の出力基板１０５とが用意されているが、一つの出力基板で、切り換え（スイッチング）により、ＨＤ信号（１０８０ｉ信号、７２０ｐ信号）あるいはＳＤ信号（４８０ｉ信号）を出力することも可能である。例えば、その場合の切り換えは、その出力基板に送信されてくる送信データＶoutに含まれているヘッダ２（図３Ｃ参照）のコマンド領域、制御パラメータ領域に記載されたコマンド、制御パラメータに基づいて行うことができる。
【０１１８】
また例えば、その場合の切り換えは、その出力基板に送信されてくる送信データＶoutに含まれる画像信号のフォーマットを検出し、その検出結果に基づいて行うことができる。すなわち、ＳＤ信号（４８０ｉ信号）であるかＨＤ信号（７２０Ｐ信号，１０８０ｉ信号）であるかは、垂直ブランキング間のライン数を数えることで検出できる。また、インタレース方式であるかプログレッシブ方式であるかは、フィールドＩＤに応じて判別可能である。すなわち、フィールドＩＤのうちの一部のビットがラインの切り換えを示し、切り換えがあることを示す場合にはインタレース方式、切り換えがないことを示す場合にはプログレッシブ方式ということがわかる。
【０１１９】
また、上述実施の形態においては、リモコン受信部１０７から入力基板１０１に向けたヘッダ１と出力基板１０４あるいは出力基板１０５に向けたヘッダ２とが連続した送信データＤ０が出力されるものであったが、例えば出力画像信号のフォーマットが固定であれば、入力基板１０１に向けたヘッダ１のみでもよい。入力基板１０１、ノイズ除去基板１０３では、出力画像信号のフォーマットが固定であれば、送信データのヘッダＤＨにその情報がなくとも、入力画像信号のフォーマット情報のみでフォーマット変換をすべきか否かを判断できるからである。
【０１２０】
また、上述実施の形態においては、処理後の画像信号ＳＶ′の状態を示す情報ＧＩの例として、入力基板１０１の信号処理部２０５で取得されるノイズ量情報を記載しているが、情報ＧＩはこのノイズ量情報に限定されるものではない。例えば、後段に配置すべき処理基板として輝度調整をする処理基板がある場合、画像信号ＳＶ′のレベル情報を情報ＧＩとして取得することも考えられる。また例えば、後段に配置すべき処理基板として色調整をする基板がある場合、画像信号ＳＶ′の各色成分のレベル情報を情報ＧＩとして取得することも考えられる。
【０１２１】
また、上述実施の形態においては、各ヘッダには送信先ＩＤが記載されるが、さらに送信元のＩＤを記載するデータ構成としてもよい。
【０１２２】
また、上述実施の形態においては、入力基板１０１、フォーマット変換基板１０２、ノイズ除去基板１０３、出力基板１０４，１０５を有する画像信号処理システム１００にこの発明を適用したものであるが、この発明はこれとは別の基板構成を持つ画像信号処理システムにも同様に適用できる。また、画像信号ではなく、音声信号、あるいは画像信号および音声信号の双方を取り扱う情報信号処理システムにも、この発明を適用できる。
【産業上の利用可能性】
【０１２３】
この発明は、情報信号の入力フォーマットや出力フォーマットの変化、処理基板の追加等があるとき、情報信号の処理順序の設定を簡単に行うことができ、例えば複数の処理基板を使用した画像信号処理システム等に適用できる。
【図面の簡単な説明】
【０１２４】
【図１】実施の形態としての画像信号処理システムの構成を示すブロック図である。
【図２】ノイズ除去基板の信号処理部の構成例を示すブロック図である。
【図３】リモコン受信部からの送信データを説明するための図である。
【図４】処理基板の回路構成を示すブロック図である。
【図５】送信データの基本構成を説明するための図である。
【図６】入力基板からの送信データを説明するための図である。
【図７】ノイズ除去基板からの送信データを説明するための図である。
【図８】フォーマット変換基板からの送信データを説明するための図である。
【図９】ノイズ除去基板不使用時の動作を説明するための図である。
【図１０】ノイズ除去基板使用時の動作を説明するための図である。
【図１１】処理基板における処理をソフトウェアで実現するための画像信号処理装置の構成例を示すブロック図である。
【図１２】画像信号処理の手順を示すフローチャートである。
【符号の説明】
【０１２５】
１００・・・画像信号処理システム、１０１・・・入力基板、１０２・・・フォーマット変換基板、１０３・・・ノイズ除去基板、１０４，１０５・・・出力基板、１０６・・・リモコン送信機、１０７・・・リモコン受信部、２００・・・処理基板、２０１・・・無線送受信部、２０２・・・インタフェース、２０３・・・ヘッダ・信号分離部、２０４・・・制御部、２０５・・・信号処理部、２０６・・・ヘッダ生成部、２０７・・・ヘッダ合成部、３００・・・画像信号処理装置
【図１】
2005184535.tif 000003
【図２】
2005184535.tif 000004
【図３】
2005184535.tif 000005
【図４】
2005184535.tif 000006
【図５】
2005184535.tif 000007
【図６】
2005184535.tif 000008
【図７】
2005184535.tif 000009
【図８】
2005184535.tif 000010
【図９】
2005184535.tif 000011
【図１０】
2005184535.tif 000012
【図１１】
2005184535.tif 000013
【図１２】
2005184535.tif 000014